(57)【要約】【課題】作業用の取手部を備え遊技機への取り付け作業が容易であるとともに、製造費用を抑えた基板ケースを提供する。【解決手段】サブ基板ユニット２のサブ基板カバー２０の外面には、サブ基板カバー２０に装着される装着部材としてのコンデンサ３１を覆う装着部材カバーとしてのコンデンサ基板カバー４０が固定され、コンデンサ基板カバー４０には、サブ基板カバー２０に固定した状態で、基板ケースとしてのサブ基板ユニット２の取手として機能する取手部４５が形成されている。【選択図】図６
2015142601.tif 000002
【特許請求の範囲】
【請求項１】
遊技機の制御基板を覆う基板カバーと、
前記基板カバーの外面に配置される装着部材と、
前記基板カバーの外面に固定されて前記装着部材を覆う装着部材カバーと、を備えた基板ケースであって、
前記装着部材カバーには、前記基板カバーに固定した状態で前記基板ケースの取手として機能する取手部が形成されていることを特徴とする基板ケース。
【請求項２】
前記基板カバーは、前記制御基板を覆った状態で制御基板の基板面と対向するカバー板を少なくとも備え、
前記装着部材カバーは、前記基板カバーの外面に固定されており、
前記取手部は、前記装着部材カバーを前記カバー板に固定した状態で、前記カバー板と平行な方向に張り出すとともに、前記カバー板との間に手指を差し込み可能な空間部を形成する張出部を備えていることを特徴とする請求項１記載の基板ケース。
【請求項３】
前記取手部は、前記装着部材カバーを前記基板カバーに固定するための固定部に形成されていることを特徴とする請求項１又は２記載の基板ケース。
【請求項４】
請求項１乃至３のいずれか１項に記載の基板ケースを備えた遊技機であって、
前記基板ケースに収納された制御基板によってその作動が制御される作動装置と、前記作動装置に電流を供給する電源装置とを備え、
前記基板ケースの基板カバーに装着される装着部材は、前記作動装置の作動に必要な電流が前記電源装置の電流の上限値を超えないよう補填するために、前記電源装置と前記制御基板とを電気的に接続する接続経路上に設けられたコンデンサを含むことを特徴とする遊技機。
【発明の詳細な説明】
【技術分野】
【０００１】
この発明は、制御基板を収納する基板ケース及びこの基板ケースを備えた遊技機に関するものである。
【背景技術】
【０００２】
スロットマシンなどの遊技機は、遊技機の作動を制御するための制御基板を備えており、制御基板は、基板ケースに収納された状態で遊技機内部の所定位置に取り付けられるようになっている。基板ケースとしては、一般的に、金型成形によるプラスチック製のものが用いられる。
例えば、特許文献１には、回転リールと回転リールを回転させるためのモータを備えたリールユニットに、モータの制御回路が実装された基板を被包する基板ケースを固定し、この基板ケースの板面に、透孔を跨ぐ取手を一体的に形成することが記載されている。特許文献１では、リールユニットの持ち運びの便のために、基板ケースに取手を設けているが、基板ケースを遊技機に取り付ける作業を行い易くするために、基板ケースに取手部を設けることも考えられる。
なお、特許文献２には、電子装置収納箱を壁面に取り付けるためのベースに、作業用の取手を設けることが記載されている。
【先行技術文献】
【特許文献】
【０００３】
【特許文献１】特開２０１０−４２３１８号公報（図２）
【特許文献２】特開平６−１６４１５５号公報
【発明の概要】
【発明が解決しようとする課題】
【０００４】
ここで、遊技機の作動を制御する制御基板は、不正が行われないように密閉性が求められるので、基板ケースに引用文献１に示すような透孔を設けることは望ましくない。しかし、透孔を設けずに取手を形成する場合には、基板ケースとの間に空間部をあけて金型の抜き方向と交差する片を形成する必要があり、製造工程が複雑化しコストが嵩むという問題点がある。
【０００５】
一方、基板ケースの一部、例えば基板カバーに別部材が固定されている場合がある。具体例を挙げると、基板カバーの外面に不正開封防止のための封印シールが貼付される場合があり、封印シールを剥き出しにしないよう封印シールを覆うカバーが設けられるのが一般的である。封印シールのカバーに限らず、このような別部材を含んで基板ケースを形成しなければならない場合には、別部材の製造費が加わり、ただでさえ製造コストがアップするので、より製造コストを抑制することが求められる。
本発明は、このような事情に鑑み、作業用の取手部を備え遊技機への取り付け作業が容易であるとともに、製造費用を抑えた基板ケース及びこの基板ケースを備えた遊技機を提供することを目的とする。
【課題を解決するための手段】
【０００６】
本願の第一の発明は、上記課題を解決するために、以下のような構成を備える。
すなわち、本発明は、遊技機の制御基板（サブ基板２００）を覆う基板カバー（サブ基板カバー２０）と、前記基板カバーの外面に配置される装着部材（コンデンサ基板３０）と、前記基板カバーの外面に固定されて前記装着部材を覆う装着部材カバー（コンデンサ基板カバー４０）と、を備えた基板ケースであって、前記装着部材カバーには、前記基板カバーに固定した状態で前記基板ケースの取手として機能する取手部４５が形成されていることを特徴とする。
本発明は、基板ケースに配置（固定、貼付を含む）される装着部材を覆う装着部材カバーに取手部４５を形成してある。これにより、基板ケースの基板カバーに取手を形成する必要がないので、基板ケースの製造費を節約することができる。
【０００７】
また、本発明において、前記基板カバーは、前記制御基板を覆った状態で制御基板の基板面と対向するカバー板（背面板２１）を少なくとも備え、前記装着部材カバーは、前記基板カバーの外面に固定されており、前記取手部４５は、前記装着部材カバーを前記カバー板に固定した状態で、前記カバー板と平行な方向に張り出すとともに、前記カバー板との間に手指を差し込み可能な空間部４６を形成する張出部４５Ａを備えたものとすることができる。ここで、上記のような形状の取手部を基板カバーに形成する場合に比べ、装着部材カバーに張出部４５を形成する方が容易である。
【０００８】
このように形成した場合には、空間部４６に手指を差し入れ、張出部４５を手掛かりとして基板ケースを持ち上げたり遊技機への取り付け作業を行ったりすることができる。
また、基板ケースの側面に張り出す取手を設けるなどして、基板ケースの外周形状を変えてしまうと、遊技機に基板を取り付けるための取り付け部を改変しなければならないが、上記した構成とすれば、基板ケースの外周形状を変えることなく、取手部４５を設けることができる。
さらに、前記取手部４５は、前記装着部材カバーを前記基板カバーに固定するための固定部４４に形成するのが好ましい。このように形成することにより、基板ケースを持ち上げるなどして張出部に負荷がかかったときに、装着部材カバーが変形したり破損したりするのを防止できる。
【０００９】
また、本願の第二の発明は、上記した基板ケースを備えた遊技機（スロットマシンＳ）であって、前記基板ケースに収納された制御基板によってその作動が制御される作動装置（演出装置）と、前記作動装置に電流を供給する電源装置５とを備え、前記基板ケースの基板カバーに装着される装着部材は、前記作動装置の作動に必要な電流が前記電源装置の電流の上限値を超えないよう補填するために、前記電源装置と前記制御基板とを電気的に接続する接続経路上に設けられたコンデンサ３１を含むことを特徴とする。
本発明は、遊技機の作動装置に必要な電流が一時的に電源装置５の定格を超える場合に、コンデンサの電量によりこれを補充するようにした遊技機に係る。
本発明によれば、電源装置５の性能を据え置いたままで、作動装置の数や種類を増やすことができ、基板ケースに装着されるコンデンサ３１のカバー（装着部材カバー）に形成された取手部４５を、基板ケースの取手として使用することができる。
【発明の効果】
【００１０】
本発明は、以上のように構成されているので、作業用の取手部を備え遊技機への取り付け作業が容易であるとともに、製造費用を抑えた基板ケース及びこの基板ケースを備えた遊技機を提供することができる。
【図面の簡単な説明】
【００１１】
【図１】本発明の実施の形態であって、スロットマシンの外観正面図である。
【図２】スロットマシンの前扉を開いた斜視図である。
【図３】本発明の実施の形態であって、スロットマシンの入力及び出力を示すブロック図である。
【図４】本発明の実施の形態であって、サブ基板ユニットの正面斜視図である。
【図５】本発明の実施の形態であって、サブ基板ユニットの背斜視図である。
【図６】本発明の実施の形態であって、サブ基板ユニットの背斜視図である。
【図７】本発明の実施の形態であって、サブ基板ユニットの分解斜視図である。
【図８】本発明の実施の形態であって、コンデンサ基板カバーの斜視図である。
【図９】本発明の実施の形態であって、コンデンサユニットの断面図である。
【図１０】従来のサブ基板カバーを示す斜視図である。
【発明を実施するための形態】
【００１２】
本発明の好適な実施の形態を、遊技機としてスロットマシンを例に、図面に基づき説明する。なお、本明細書において、各構成部材の上下左右、前後（正面背面）の方向は、特に指定しない場合には、各構成部材をスロットマシンＳに取り付けた状態で、スロットマシンＳを正面（遊技者と対峙する前面）から見たときの方向を示すものである。
（スロットマシンＳ）
スロットマシンＳは、図１及び図２に示すように、大きく分けて、正面側に開口部を有する筐体Ｂと、筐体Ｂに開閉自在に取り付けられ筐体Ｂの開口部を閉塞可能な前扉Ｄとから構成されている。図２に示すように、筐体１の開口部の上部には、３個の回転リール５０を備えたリールユニット３と、メイン基板ユニット１が収納されており、開口部の下部には、電源装置５とホッパーユニット４が設置されている。
【００１３】
ここで、リールユニット３は、筐体１に着脱自在に形成されており、メイン基板ユニット１はリールユニット３の枠体に固定されている。リールユニット３は、３個の回転リール５０をそれぞれ回転させるためのリールモータ７０（図３参照）を備えている。メイン基板ユニット１は、ＣＰＵ、ＲＯＭなど種々の電子部品を装着した制御基板であるメイン基板１００（図３参照）を、メイン基板ケースに収納したものである。メイン基板１００は、ＣＰＵがＲＯＭに記憶されたプログラムを読み込むことで、スロットマシンＳの遊技作動を制御する遊技制御装置として機能する。電源装置４は、スロットマシンＳの内部装置に電力を供給するためのものであり、ＡＣ−ＤＣコンバータや過電流保護回路等を備えた電源基板９５（図３参照）を備えている。ホッパーユニット５は、遊技結果に応じてメダルを払い出すものであり、メダルを貯留する貯留部と、貯留部に貯留されているメタルを払い出す払い出し装置と、払い出し装置を作動させるためのホッパーモータ８０（図３参照）を備えている。
【００１４】
前扉Ｄは、筐体Ｂの側板にヒンジを介して回転自在に軸支された板状の扉であり、図１に示すように、略中央部に回転リール５０を正面側から見ることができる図柄表示窓Ｗを有している。また、図柄表示窓Ｗの上方には画像表示部Ｐが設けられ、画像表示部Ｐの側方には発光表示部７が設けられているとともに、発光表示部７の上方にはスピーカ８が設けられている。また、前扉Ｄの内部には、画像表示部Ｐを遮蔽する位置に移動可能な２つのシャッター９Ａ、９Ｂを有する役物ユニット９が設けられている。
【００１５】
ここで、画像表示部Ｐは、画像表示部Ｐの奥側に配置された液晶ユニット６の液晶画面を視認可能とする窓部である。発光表示部７は、ＬＥＤなどの発光体を装着した発光体基板９７（図３参照）を、発光体の照射光を拡散するランプカバーで覆ったものである。スピーカ８は、スピーカ基板９８（図３参照）を備えた音声出力装置である。役物ユニット９は、２つのシャッター９Ａ、９Ｂ（図１参照）を横方向にスライドさせることができる駆動装置と、駆動装置を駆動させるための役物駆動基板９９（図３参照）を備え、遊技状態に応じて、画像表示部Ｐを遮蔽する位置にシャッター９Ａ、９Ｂを移動させたり、画像表示部Ｐを遮蔽しているシャッター９Ａ、９Ｂを元の位置（画像表示部Ｐを遮蔽しない位置）に移動させたりすることができる。
【００１６】
前扉Ｄの高さ方向略中央部には、メダルを投入するためのメダル投入口Ｍ、回転リール５０を回転開始させるためのスタートレバーＳＬ、回転リール５０の回転を停止させるための３個のストップボタンＳＢが設けられている。また、前扉Ｄの下部には、メダルを貯めておくことができる下皿Ｃが形成されている。ここで、スタートレバーＳＬの筐体Ｂ内部側には、スタートレバーＳＬの位置移動を検知するスタートスイッチ９１（図３参照）が設けられ、スタートスイッチ９１の検知信号がスタートレバーＳＬの操作信号として扱われるようになっている。また、ストップボタンＳＢの筐体Ｂ内部側には、ストップボタンＳＢの位置移動を検知するストップスイッチ９２（図３参照）が設けられ、ストップスイッチ９２の検知信号がストップボタンＳＢの操作信号として扱われるようになっている。
【００１７】
さらに、図２に示すように、前扉Ｄの裏面には、前記メダル投入口Ｍから投入されたメダルを誘導しながらメダルの真贋を判定するためのメダルセレクターＭＬが設けられている。メダルセレクターＭＬには、メダルの通過を検知するメダルセンサ９０（図３参照）と、図示しないが、不適正なメダルが投入された場合やスロットマシンＳがメダルを受け付けない状態であるとき（例えば回転リール５０の回転中など）に、メダルがメダルセンサ９０を通過する前にメダルセレクターＭＬの外部に排出するためのメダルキャンセル装置が設けられている。メダルセンサ９０を通過したメダルは、ホッパーユニット４の貯留部に転送され、メダルキャンセル装置によりキャンセルされたメダルは、下皿Ｃに排出される。
【００１８】
また、前扉Ｄの裏面上部には、ＣＰＵ、ＲＯＭなど種々の電子部品を装着した制御基板であるサブ基板２００（図３、図５参照）を内蔵したサブ基板ユニット２が設けられている。サブ基板２００は、ＣＰＵがＲＯＭに記憶されたプログラムを読み込むことで、遊技に付随する演出を制御する演出制御装置として機能する。ここで、本実施の形態においては、サブ基板ユニット２は、液晶表示装置６０と液晶基板９６（図３、図４参照）を有する液晶ユニット６を含んで構成されている。そして、サブ基板ユニット２を、前扉Ｄの裏側（前扉Ｄを閉じたとき筐体Ｂの内部側となる側）から取り付けることにより、図１に示すように、画像表示部Ｐから液晶表示装置６０の液晶画面が視認可能となる。さらに、本実施の形態では、図５、図６に示すように、サブ基板ユニット２に、外付けで、コンデンサユニット１０が装着されている。コンデンサユニット１０は、発光表示部７の点灯やスピーカ８の音声出力や役物ユニット９の作動が重なって、それらの装置の作動に必要な電流が電源装置５の電流の上限値を超える場合に、それらの装置に電流を供給するためのものである。サブ基板ユニット２の詳細については後述する。
【００１９】
（スロットマシンＳの電気的接続）
上記構成を有するスロットマシンＳの各構成部材の電気的接続について、図３に基づき説明する。まず、メイン基板ユニット１のメイン基板１００は、電源装置５の電源基板９５と、中継基板９４を介して接続されている。中継基板９４は、筐体Ｂ内の所定位置に配置された基板であり、電源基板９５とメイン基板１００及びサブ基板２００とを接続するケーブルを中継するものである。メイン基板１００の入力側には、メダルセンサ９０、スタートスイッチ９１、ストップスイッチ９２が接続されている。また、メイン基板１００の出力側には、リールモータ７０、ホッパーモータ８０が接続されている。メイン基板１００は、スタートスイッチ９１の信号入力に伴い、所定の図柄組合せが対応付けられた役について当選か否かの役抽選を行うとともに、リールモータ７０を駆動させて回転リール５０の回転を制御し、役抽選の結果に基づいて、ストップスイッチ９２の信号入力に伴うリールモータ７０の駆動停止（回転リール５０の回転停止）を制御する。ストップスイッチ９２の信号入力に伴う回転リール５０の停止時に、当選役に対応する図柄組合せが図柄表示窓Ｗの所定の有効ラインに表示された場合には、ホッパーモータ８０を作動させて入賞に対応するメダルを払い出させたり、ボーナスゲームなどの有利遊技を開始させたりするようになっている。
【００２０】
サブ制御装置２のサブ基板２００は、中継基板９４及びコンデンサ基板３０を介して電源基板９５と接続されている。サブ基板２００の出力側には、液晶基板９６、発光体基板９７、スピーカ基板９８、役物駆動基板９９が接続されている。そして、サブ基板２００は、メイン基板１００から信号やコマンドを入力して、液晶ユニット６や発光表示部７やスピーカ８による演出の実行を制御する。なお、メイン基板１００からサブ基板２００へは信号やコマンドを出力可能であるが、サブ基板２００からメイン基板１００へは信号やコマンドを出力できないようになっている。
【００２１】
（サブ基板ユニット２）
次に、サブ基板ユニット２について説明する。ここで、図４はサブ基板ユニット２を正面視した斜視図であり、図５及び図６はサブ基板ユニット２を背面視した斜視図である。
サブ基板ユニット２は、図４乃至図６に示すように、液晶ユニット６と、サブ基板２００と、サブ基板２００を覆うサブ基板カバー２０と、コンデンサユニット１０とを含んで構成される。
液晶ユニット６は、図４に示すように、液晶表示装置６０及び収納枠６１からなる。既述したように、液晶表示装置６０は、液晶パネル６０Ａと、液晶パネル６０Ａに画像を表示させるための液晶基板９６（図３参照）とを備えている。収納枠６１は正面側が開口する箱形の枠であり、収納枠６１の正面側の開口部から液晶パネル６０Ａの画面を視認できるように液晶表示装置６０が収納されている。
【００２２】
サブ基板２００は、収納枠６１の背面に固定されており、コンデンサユニット１０に接続されるケーブルのコネクタ接栓（図示せず）を装着するコンデンサコネクタ接栓座２１０を備えている。
収納枠６１には、サブ基板２００を覆うサブ基板カバー２０が取り付けられている。図４乃至図６に示すように、収納枠６１の両側面には、ユニット固定部６２と、枠固定部６３が形成されている。ユニット固定部６２は、サブ基板ユニット２を前扉Ｄにネジで固定するための固定部であり、枠固定部６３はサブ基板カバー２０を図示しないネジで固定するための固定部である。
【００２３】
サブ基板カバー２０は、背面板２１及び上下左右の側板を有する正面側が開口した箱形のカバーである。背面板２１は、サブ基板２００の基板面と対向するカバー板に相当する。そして、図７に示すように、背面板２１の中央部には、背面板２１の外面を内側（サブ基板２００側）に一段凹ませて形成した四角形状の凹部２２が設けられている。また、背面板２１の背面視右側の端部には、前後方向に貫通するコネクタ開口部２８が形成されているとともに、背面板２１の下部両端には、封印シール貼付部２３が形成されている。
【００２４】
凹部２２は、コンデンサユニット１０を取り付けるためのものであり、図７に示すように、凹部２２の背面視左側の側壁には、左右方向に貫通する２個のスリット２７、２７が形成されているとともに、凹部２２の背面視右側には、側壁を側方に凹ませて形成した矩形の嵌入溝２５が設けられている。嵌入溝２５の略中央部には、前後方向のネジ孔２６Ａを有するネジボス２６が形成されている。
【００２５】
コネクタ開口部２８は、サブ基板２００の電源コネクタ接栓座２１０を背面板２１から表出させるためのものである。封印シール貼付部２３は、図５に示すように、ＩＣタグが付された封印シール２３Ａを台座部に貼付し、封印シールカバー２３Ｂによって封印シールを２３Ａ覆ってあるものである。封印シール２３Ａは、サブ基板カバー２０が不正に開封されてサブ基板２００が不正改造されるのを防ぐためのものである。サブ基板カバー２０は、両側面に設けられたカバー固定部２４（図５、図６参照）を収納枠６１の枠固定部６３に合わせてネジ止めすることにより、液晶ユニット６に固定される。
以上のように、本実施の形態では、液晶ユニット６の収納枠６１とサブ基板カバー２０の間にサブ基板２００が収納されるものであり、液晶ユニット６とコンデンサユニット１０を装着したサブ基板カバー２０は、サブ基板を収納する基板ケースとして機能するものとなっている。
【００２６】
（コンデンサユニット１０）
次に、コンデンサユニット１０の詳細を、図７乃至図９に基づき説明する。なお、図８はコンデンサ基板カバー４０の背面が上側となるように配置した斜視図であり、図９はコンデンサユニット１０の中央横断面図である。
コンデンサユニット１０は、図７に示すように、コンデンサ基板３０と、コンデンサ基板カバー４０とから構成される。
【００２７】
コンデンサ基板３０には、大容量（例えば６６００μＦ）のコンデンサ３１が搭載されているとともに、電源コネクタ接栓座３２とサブコネクタ接栓座３３が設けられている。電源コネクタ接栓座３２は、中継基板９４（図３参照）に接続されるケーブルのコネクタ接栓（図示せず）を装着するものであり、サブコネクタ接栓座３３は、サブ基板２００のコンデンサコネクタ接栓座２１０に接続されるケーブルのコネクタ接栓（図示せず）を装着するものである。
【００２８】
コンデンサ基板３０は、液晶ユニット６や発光表示部７やスピーカ８や役物ユニット９などの演出装置に対して一時的に多くの電流を供給する必要がある場合、例えば、液晶表示装置６０で動画を表示させ発光表示部７で発光表示を行いつつ役物ユニット９を作動させているときに、スピーカ８が一時的に大音量を発生する場合などに、必要な電流の増加分を、電源基板９５に代わって供給するものである。すなわち、消費電流が急峻に変化するとき、その一部を電源基板９５のＡＣ−ＤＣコンバータに代わってコンデンサ３１から電流を供給し、これにより電源装置５から出力する電流値を下げるようにしている。これにより、短時間であれば消費電流が電源装置５の定格を超えることがあっても電源基板９５の過電流保護回路が作動することがなく、スロットマシンＳが作動停止してしまうようなトラブルを防ぐことができる。
なお、演出装置が定常的な電流を消費しているときは、コンデンサ３１は電源基板９５からの電流により充電されている。
【００２９】
コンデンサ基板カバー４０は、正面側が開口する箱形のカバーであり、図７及び図９に示すように、コンデンサ基板３０の基板外周を覆うベース部４１と、ベース部４１の背面視左寄りに位置しベース部４１から背面側に突出して形成されたコンデンサ覆い部４２と、ベース部４１の背面視右側端部に形成された固定部４４とから構成される。
【００３０】
ベース部４１において、コンデンサ覆い部４２と固定部４４との間には、前後方向に貫通するコネクタ開口部４３が２個形成されている。コネクタ開口部４３、４３は、コンデンサ基板３０の電源コネクタ接栓座３２及びサブコネクタ接栓座３３をベース部４１から表出させるためのものである。また、ベース部４１において、背面視左側の側面には、図７乃至９に示すように、側方に向かって突出する２個の突片４７、４７が形成されている。突片４７、４７は、サブ基板カバー２０の凹部２２のスリット２７、２７にそれぞれ差し込み可能なものである。
【００３１】
また、ベース部４１において固定部４４と反対側の端部には、前後方向のネジ孔４８Ａを有する基板固定部４８が設けられている。基板固定部４８はコンデンサ基板３０とコンデンサ基板カバー４０を固定するためのものであり、図９に示すように、コンデンサ基板３０をコンデンサ基板カバー４０で覆った状態で、コンデンサ基板３０の裏面（コンデンサ３１が装着されている面の反対側の面）から、ネジＱ２をネジ孔４８Ａにねじ込んで固定するようになっている。
【００３２】
固定部４４は、図８に示すように、ベース部４１の背面視左側の側面４１Ａから側方に突出して形成されており、正面側（図８における下側）が開口する中空（図９参照）の箱形を呈している。すなわち、固定部４４は、コンデンサユニット１０をサブ基板カバー２０に取り付けたときサブ基板カバー２０の背面板２１と平行に配置される固定板４４Ａと、固定板４４Ａから正面側（サブ基板カバー２０側）に張り出す側板４４Ｂを備えている。また、固定板４４Ａには、前後方向に貫通するネジ孔４４Ｃが形成されている。そして、固定部４４は、側板４４Ｂを凹部２２の嵌入溝２５（図７参照）に嵌め込み可能に形成されており、側板４４Ｂを嵌入溝２５に嵌め込むと、ネジボス２６のネジ孔２６Ａと固定板４４Ａのネジ孔４４Ｃが合致するようになっている（図９参照）。
【００３３】
さらに、固定部４４の背面側には、図７に示すように、固定部４４を挟んで上下に位置する取手部４５、４５が設けられている。取手部４５、４５は、コンデンサユニット１０をサブ基板ケース２０に取り付けた状態で、サブ基板ケース２０の背面板２１と平行に位置する張出片４５Ａ、４５Ａ（図６、図８参照）と、張出片４５Ａ、４５Ａを支持する支持片４５Ｂ、４５Ｂ（図８参照）を備えている。支持片４５Ｂ、４５Ｂは、図８に示すように、ベース部４１の側面４１Ａを背面側（図８における上側）に延長した片及び固定板４４Ａの上下の端部（図８における前後の端部）を背面側に屈曲して形成した片からなり、コンデンサユニット１０をサブ基板ケース２０に取り付けたときに、張出片４５Ａ、４５Ａと背面板２１との間に、空間部４６、４６が形成されるようになっている（図６参照）。そして、この空間部４６に手指を入れて、張出片４５Ａ、４５Ａに手指を引掛けることができるようになっている。
【００３４】
コンデンサユニット１０は、コンデンサ基板３０とコンデンサ基板カバー４０とを固定した状態で、突片４７、４７をサブ基板カバー２０の凹部２２のスリット２７、２７に差し込み、凹部２２内に嵌め入れることができる。この際、固定部４４の側板４４Ｂが嵌入溝２５に嵌め込まれる。そして、ネジ孔４４ＣからネジＱ１（図７、図９参照）をねじ込むことにより、ネジＱ１がネジボス２６のネジ孔２６Ａに螺号され、コンデンサ基板カバー４０がサブ基板カバー２０の背面板２１に固定される。これにより、コンデンサユニット１０がサブ基板カバー２０に固定される。
コンデンサユニット１０を装着したサブ基板ユニット２を、スロットマシンＳの前扉Ｄに取り付ける場合には、作業者はサブ基板カバー２０の背面板２１と対峙した状態で、扉固定部６２のネジ止め作業などを行うこととなる。この際、取手部４５を手掛かりにして、サブ基板ユニット２を取り付け位置にセットする作業を行うことができる。
【００３５】
（まとめ）
本実施の形態では、サブ基板ユニット２にコンデンサユニット１０を装着することによって、発光表示部７やスピーカ８や役物など種々の演出装置の作動が重なって、消費電流が電源装置５の定格を超える場合があっても、コンデンサユニット１０によって不足分を補うことができる。そして、演出装置の増加等によって消費電流量が増加する場合でも、従来と同じ性能の電源装置５を利用でき、コスト削減を図ることができる。また、サブ基板ケース２０にコンデンサユニット１０を設けているので、サブ基板２００とコンデンサ基板３０とを接続するケーブルの長さを短くでき、コンデンサ３１の電流をサブ基板２００に迅速かつ損失なく供給することができる。
【００３６】
ここで、コンデンサ基板３０をサブ基板２００に一体化していないのは、サブ基板２００においては、スロットマシンＳの機種毎にＲＯＭなどの搭載部品は変更されるが、プリント基板の配線は共通化されていることに基づく。すなわち、サブ基板２００に新たにコンデンサ３１を搭載しようとすると、プリント基板の配線を変更しなければならないので、コストアップにつながってしまうからである。また、大容量のコンデンサ３１を追加すると、サブ基板２００のサイズが大型化する可能性もある。本実施の形態によれば、従来のサブ基板２００のサイズや配線を改変することなく、上記したような効果を得ることができる。
【００３７】
ところで、サブ基板ケース２０は金型に樹脂を射出して形成されるプラスチック製である。そして、従来のサブ基板ケース２０では、持ちやすさ、作業のし易さの観点から、図１０に示すように、サブ基板ケース２０の側面方向（図示する黒矢印方向）から手指を引掛けるための取手部４５０を設けていた。しかし、このような取手部４５０を形成する場合、取手部４５０の張出片４５０Ａと基板ケース２０の外面（図１０の例では背面板２１の側方に形成された段部２１Ａの外面）との間に手指を入れる空間部を形成するために、金型の抜き方向（図示する白矢印方向）と直交する方向（黒矢印方向の反対方向）に抜けるスペーサーを配置しなくてはならないので、金型の設計や製造工程が複雑化してコストがかかるという問題があった。一方、取手部をサブ基板ケース２０の側方に張り出すように形成すれば、金型の問題は解決するものの、前扉Ｄにおけるサブ基板ユニット２を取り付ける取り付け部を、サブ基板ユニット２の外周形状に合わせて設計変更しなければならないという問題がある。
【００３８】
この点、本実施の形態によれば、サブ基板カバー２０（基板ケースの基板カバー）に配置される装着部材としてのコンデンサ３１を覆うコンデンサ基板カバー４０（装着部材カバー）に、サブ基板カバー２０の背面板２１（カバー板）の外面と平行な方向に張り出し、背面板２１との間に空間部４６を形成する張出片４５Ａ（張出部）を設けてある。これを取手として機能させることとしてあるので、サブ基板カバー２０に図１０に示すような取手部を設ける必要が無い。コンデンサ基板カバー４０の張出片４５Ａは、図８に示すように、固定部４４を挟んで（背面視したとき重ならないように）位置しているとともに、ベース部４１の側面４１Ａよりも側方に張り出しており、張出片４５Ａの前後方向（図８の上下方向）、すなわち、コンデンサ基板カバー４０を成型する際の金型の抜き方向には、何もない状態となっている。したがって、コンデンサ基板カバー４０の製造工程では、取手部４５の形状を作るために上記したようなスペーサーを配置する必要がない。このように、サブ基板カバー２０に取り付ける必要のあるコンデンサ基板カバー４０に取手部４５を形成する方が、サブ基板カバー２０に同様の取手部を形成するよりも容易であり、その分の製造コストを削減できる。
さらに、本実施の形態では、コンデンサ基板カバー４０をサブ基板カバー２０に固定するための固定部４４に取手部４５を設けてあるので、サブ基板ユニット２を持ち上げるときなど取手部４５に負荷がかかっても、コンデンサ基板ケース４０が変形したり破損したりするのを防止できる。
【００３９】
（変形例）
上記した実施の形態では、コンデンサ基板カバー４０をサブ基板カバー２０にネジで固定する固定部４４に張出片４５Ａを備えた取手部４５を設けていたが、コンデンサ覆い部４２における固定部４４の反対側の端部、すなわち突片４７とスリット２７によりコンデンサ基板カバー４０がサブ基板カバー２０に係止されている部分の近傍に、横方向に張り出す張出部を形成し、これを、取手部４５とともに、あるいは取手部４５に代わる取手部としてもよい。取手部４５の形状は、図示したものに限定されず、サブ基板カバー２０の外面との間に手指を差し込み可能な隙間をあけて配置されるサブ基板カバー２０の外面と平行な張出部を有していればよい。張出部は板状であってもよいしその他の形状、例えば棒状であってもよい。また、張出部は、サブ基板カバー２０と厳密に平行となるよう形成される必要はなく、手指を引掛けることができればよい。
【００４０】
また、上記した実施の形態では、装着部材をコンデンサ基板３０としていたが、装着部材はコンデンサ基板３０に限られない。例えば、サブ基板ケース２０に貼付される封印シール２３Ａを装着部材とし、封印シールカバー２３Ｂを装着部材カバーとして、封印シールカバー２３Ｂに取手部を形成するようにしてもよい。
【００４１】
また、上記した実施の形態では、装着部材であるコンデンサ基板３０が、サブ基板カバー２０の背面板２１（基板カバーのカバー板）の外面に配置され、装着部材カバーであるコンデンサ基板カバー４０もサブ基板ケース２０の背面板２１の外面に固定されるものとなっていたが、装着部材が配置される場所と、装着部材カバーが固定される場所は一致していなくてもよい。例えば、装着部材は基板カバーのカバー板以外の場所（例えばサブ基板カバー２０の側面部）に配置（固定あるいは貼付）されるが、装着部材を覆う装着部材カバーの固定部は基板カバーのカバー板の外面に設けられていてもよい。
【００４２】
また、基板ケースに装着部材を覆う装着部材カバーを固定し、その装着部材カバーに取手部を形成する構成を、メイン基板ケースに応用してもよい。この場合の装着部材は、メイン基板ケースの基板カバーに貼付される封印シールとすることができ、装着部材カバーはその封印シールを覆う封印シールカバーとすることができる。
また、基板ケースの上記構成は、メイン基板ケースやサブ基板ケースに限られず、遊技機に設けられる他の制御基板を収納する基板ケースに応用することができる。すなわち、本発明において、制御基板は、メイン基板１００やサブ基板２００に限定されるものではない。
【００４３】
さらに、本発明は、装着部材カバーが、基板カバーのカバー板以外の場所、例えば基板カバーの側板（制御基板の四辺の端面と対向する側板）に固定される場合も含む。また、取手部の形状も、基板カバーのカバー板と平行な張出部に限られない。例えば、基板カバーのカバー板や基板カバーの側板と直交する方向に突出する突起（例えば棒状や板状のつまみ）であってもよい。このように形成した場合でも、基板カバーに取手部を形成する必要がないという点において変わりはない。すなわち、制御基板を覆う基板カバーのいずれかの場所に装着部材が装着されるようになっている場合に、その装着部材を覆う装着部材カバーに、基板ケースを遊技機に取り付ける際に手掛かりとなり得る取手部を形成することにより、基板カバーに取手部を形成する必要がなくなり、基板ケースの製造コストを極力抑えることができる。
なお、本発明は、スロットマシン以外の遊技機、例えばパチンコ遊技機にも応用することができる。
【符号の説明】
【００４４】
Ｓ  スロットマシン                  Ｂ  筐体
Ｄ  前扉                            Ｐ  画像表示部
１  メイン基板ユニット              ２  サブ基板ユニット（基板ケース）
４  電源装置                        ６  液晶ユニット（作動装置）
７  発光表示部（作動装置）          ８  スピーカ（作動装置）
９  役物ユニット（作動装置）      １０  コンデンサ基板ユニット
２０  サブ基板カバー（基板カバー）  ２１  背面板（カバー板）
３０  コンデンサ基板（装着部材）    ３１  コンデンサ
４０  コンデンサ基板カバー（装着部材カバー）
４４  固定部
４５  取手部                      ４５Ａ  張出片（張出部）
４６  空間部                        ４７  突片
100  メイン基板                     200  サブ基板（制御基板）
【図１】
2015142601.tif 000003
【図２】
2015142601.tif 000004
【図３】
2015142601.tif 000005
【図４】
2015142601.tif 000006
【図５】
2015142601.tif 000007
【図６】
2015142601.tif 000008
【図７】
2015142601.tif 000009
【図８】
2015142601.tif 000010
【図９】
2015142601.tif 000011
【図１０】
2015142601.tif 000012